(57)【特許請求の範囲】
【請求項１】
回動軸の周りに回動可能かつ初期位置に復元可能に構成された第１挟持部材および第２挟持部材と、
上記第１挟持部材の挟持部および上記第２挟持部材の挟持部の互いに対向する内面に設けられた、上記第１挟持部材の上記挟持部と上記第２挟持部材の上記挟持部との間に上記回動軸に垂直な方向から被験者の手の、指先の毛細血管の血流を観察しようとする指を挿入したときに当該指を当該指に垂直でかつ上記回動軸に平行な方向に拘束した状態で収容する指収容部と、
先端部が上記第１挟持部材の上記挟持部に臨むように上記第２挟持部材に取り付けられたピント合わせ機能を有する顕微鏡本体と、
上記第２挟持部材の上記挟持部の内面に設けられた、上記第１挟持部材の上記挟持部と上記第２挟持部材の上記挟持部との間に上記指を挟持したときに、上記指の爪の甘皮に引っ掛かることにより上記第１挟持部材および上記第２挟持部材に対する上記指の長手方向前方への移動を阻止する甘皮ストッパーとを有し、
上記甘皮ストッパーの先端が上記指の爪の甘皮に引っ掛った状態において、上記顕微鏡本体の光軸が上記指の爪の甘皮に隣接する爪根部に合うように構成されている指先毛細血管血流観察顕微鏡。
【請求項２】
上記甘皮ストッパーの先端と上記顕微鏡本体の光軸との間の距離が１．０ｍｍ以上２．０ｍｍ以下である請求項１記載の指先毛細血管血流観察顕微鏡。
【請求項３】
上記指収容部は、上記第１挟持部材の挟持部の内面に上記回動軸に垂直な方向に延在して設けられた上記指の下半分を収容する第１凹部および上記第２挟持部材の挟持部の内面に上記回動軸に垂直な方向に延在して設けられた上記指の上半分を収容する第２凹部からなる請求項１または２記載の指先毛細血管血流観察顕微鏡。
【発明の詳細な説明】
【技術分野】
【０００１】
この発明は、指先毛細血管血流観察顕微鏡に関し、特に、手の指先の毛細血管の血流を観察するのに用いて好適なものである。
【背景技術】
【０００２】
従来、手の指先などの毛細血管の血流を観察する装置として血流観察用デジタルマイクロスコープが知られており、市販されている（非特許文献１参照。）。この血流観察用デジタルマイクロスコープは、顕微鏡（マイクロスコープ）とモニター（ディスプレイ）とを組み合わせたものである。この血流観察用デジタルマイクロスコープにより手の指先の毛細血管の血流を観察する方法は次の通りである。すなわち、まず、顕微鏡の直下の観察台に設けられた指置きに利き手の反対側の手の薬指を置く。薬指には事前に乱反射防止用オイルを塗布しておく。指置きには指の形状に合わせてＵ字形の溝が形成されている。そして、指置きに指を置いた状態で、顕微鏡の先端を左右前後に移動し、かつ被験者の指も動かしながら指の爪の甘皮の直ぐ後方の部分の表面に接近させる。その後、モニターを見ながら顕微鏡の鏡筒に取り付けられたピント調節ねじと被験者の指移動で皮膚直下の毛細血管の映像が出るように位置とピントを調節する。
【先行技術文献】
【非特許文献】
【０００３】
【非特許文献１】［平成３１年３月１日検索］、インターネット〈ＵＲＬ：http://www.gokocamera.com/ev/bscan-z.php〉
【発明の概要】
【発明が解決しようとする課題】
【０００４】
非特許文献１に記載された血流観察用デジタルマイクロスコープでは、血流を鮮明に観察することができるのは、爪の甘皮からコンマ数ミリ以内の爪根部の表皮であるため、そこに顕微鏡を位置合わせすることが重要である。しかしながら、指サイズや爪サイズの個人差が大きく、かつ観察時には指置きに指を置くだけであるため、初期位置合わせやピント合わせだけでも大変である。しかも、観察中に呼吸などにより体がぶれるため観察対象の指も上下左右に移動してしまうことからその都度位置合わせやピント合わせが必要となることにより、毛細血管の血流を鮮明に観察するためには操作に熟練が必要であった。
【０００５】
そこで、この発明が解決しようとする課題は、被験者の手の指先の毛細血管の血流を観察しようとする部位に顕微鏡を簡単に位置合わせすることができ、しかも観察時の指のぶれを抑制することができ、顕微鏡のピントを合わせるだけで容易に指先の毛細血管の血流を観察することができる指先毛細血管血流観察顕微鏡を提供することである。
【課題を解決するための手段】
【０００６】
上記課題を解決するために、この発明は、
回動軸の周りに回動可能かつ初期位置に復元可能に構成された第１挟持部材および第２挟持部材と、
上記第１挟持部材の挟持部および上記第２挟持部材の挟持部の互いに対向する内面に設けられた、上記第１挟持部材の上記挟持部と上記第２挟持部材の上記挟持部との間に上記回動軸に垂直な方向から被験者の手の、指先の毛細血管の血流を観察しようとする指を挿入したときに当該指を当該指に垂直でかつ上記回動軸に平行な方向に拘束した状態で収容する指収容部と、
先端部が上記第１挟持部材の上記挟持部に臨むように上記第２挟持部材に取り付けられたピント合わせ機能を有する顕微鏡本体と、
上記第２挟持部材の上記挟持部の内面に設けられた、上記第１挟持部材の上記挟持部と上記第２挟持部材の上記挟持部との間に上記指を挟持したときに、上記指の爪の甘皮に引っ掛かることにより上記第１挟持部材および上記第２挟持部材に対する上記指の長手方向前方への移動を阻止する甘皮ストッパーとを有し、
上記甘皮ストッパーの先端が上記指の爪の甘皮に引っ掛った状態において、上記顕微鏡本体の光軸が上記指の爪の甘皮に隣接する爪根部に合うように構成されている指先毛細血管血流観察顕微鏡である。
【０００７】
この指先毛細血管血流観察顕微鏡においては、第１挟持部材の挟持部と反対側の端部（操作部）と、第２挟持部材の挟持部と反対側の端部（操作部）とを手の指でつまんで力を加えることにより第１挟持部材および第２挟持部材を回動軸の周りに回動させて第１挟持部材の挟持部と第２挟持部材の挟持部とを互いに離し、この状態で被験者の手の、指先の毛細血管の血流の観察を行おうとする指を第１挟持部材の挟持部および第２挟持部材の挟持部の指収容部に挿入した後、第１挟持部材の挟持部と反対側の端部（操作部）と、第２挟持部材の挟持部と反対側の端部（操作部）とに力を加えるのを止め、第１挟持部材および第２挟持部材を回動軸の周りに逆方向に回動させることにより指収容部に指が収容された状態で第１挟持部材の挟持部と第２挟持部材の挟持部との間に指を挟持する。このように第１挟持部材の挟持部と第２挟持部材の挟持部との間に指を挟持したまま指を少し前進させることにより指の爪の甘皮が甘皮ストッパーの先端に引っ掛かるようにする。この状態で顕微鏡本体のピントを合わせて指先の毛細血管の血流を観察する。
【０００８】
第１挟持部材の挟持部および第２挟持部材の挟持部の指収容部は、一般的には、第１挟持部材の挟持部の内面に回動軸に垂直な方向に延在して設けられた、指の下半分を収容する第１凹部および第２挟持部材の挟持部の内面に回動軸に垂直な方向に延在して設けられた、指の上半分を収容する第２凹部からなるが、これに限定されるものではない。指収容部の断面形状および断面寸法ならびに長さは、一般的には、この指収容部に指先の毛細血管の血流の観察を行おうとする指の少なくとも末節骨の全部、典型的には末節骨の全部に加えて中節骨の全部または末節骨側の一部を収容することができ、かつこの指をこの指に垂直でかつ回動軸に平行な方向に拘束することができるように選択される。指収容部に指が収容され、かつ第１挟持部材の挟持部と第２挟持部材の挟持部との間に指が挟持されることにより、指を回動軸に平行な方向に加えて回動軸に垂直な方向にも拘束することができる。こうして、観察中の指のぶれを抑制することができることにより、爪の甘皮の近傍の爪根部の表皮に顕微鏡のピント合わせを行いやすくなり、それによって毛細血管の血流が観察しやすくなる。
【０００９】
甘皮ストッパーは、指収容部に被験者の手の指を収容し、第１挟持部材の挟持部と第２挟持部材の挟持部との間に指を挟持した状態で指の爪を指に直交する方向に横断するようにその位置および方向が決められる。そして、この状態で指を前方に少し移動させると、甘皮ストッパーが甘皮で引っ掛かり、この時点で第１挟持部材および第２挟持部材に対するこの指の長手方向前方への移動が阻止される。このとき、甘皮ストッパーの先端と顕微鏡本体の光軸との間の距離を予め定めておくことで、爪の甘皮の近傍の爪根部の表皮の直上に顕微鏡本体を位置させることができる。すなわち、甘皮ストッパーの先端が甘皮に引っ掛った状態において、顕微鏡本体の光軸が指の爪の甘皮に隣接する爪根部に合うように構成される。このため、甘皮の近傍の爪根部の表皮に顕微鏡のピントを合わせることにより、毛細血管の血流を観察することができる。甘皮ストッパーの先端と顕微鏡本体の光軸との間の距離は、例えば１．０ｍｍ以上２．０ｍｍ以下である。
【００１０】
顕微鏡本体のピント合わせは、手動で行うことができるようにしてもよいし、自動で行うことができるようしてもよい。顕微鏡本体は、先端部が第１挟持部材の挟持部に臨むように第２挟持部材に取り付けられるが、具体的には、例えば、第２挟持部材の挟持部を貫通して取り付けられ、あるいは、第２挟持部材の挟持部のうちの第１挟持部材の挟持部に臨む面に埋め込まれる形で取り付けられる。顕微鏡本体は、第１挟持部材の挟持部に臨む側に設けられた対物レンズを含む結像光学系を有する。顕微鏡本体は、対物レンズと接眼レンズとを備える一般的な光学顕微鏡の鏡筒と同様のものであってもよいが、好適には、対物レンズがファイバー束の一方の端面に取り付けられ、他方の端面に撮像素子が設けられたファイバースコープが用いられる。顕微鏡本体は、スマートフォンやタブレット型端末などのカメラと同様なものであってもよい。照明光学系は対物レンズの下方を照明することができる限り、顕微鏡本体に一体に設けてもよいし、顕微鏡本体とは別に設けてもよく、必要に応じて選ばれる。照明光学系を顕微鏡本体に一体に設ける場合、例えば、顕微鏡本体の光軸の周りに対物レンズを取り囲むように複数の発光ダイオードが設けられる。特に、顕微鏡本体がファイバースコープである場合は、顕微鏡本体の対物レンズにより結像した像が撮像素子により撮像され、この撮像素子により取得された画像がこの撮像素子の出力端に接続されたケーブルを介して外部のディスプレイやスマートフォンのディスプレイに送られて画像を表示することができる。
【発明の効果】
【００１１】
この発明によれば、第１挟持部材の挟持部と反対側の端部と、第２挟持部材の挟持部と反対側の端部とを手の指でつまんで力を加えることにより第１挟持部材および第２挟持部材を回動軸の周りに回動させて第１挟持部材の挟持部と第２挟持部材の挟持部とを互いに離し、この状態で被験者の手の、指先の毛細血管の血流の観察を行おうとする指を第１挟持部材の挟持部および第２挟持部材の挟持部の指収容部に挿入した後、第１挟持部材の挟持部と反対側の端部と、第２挟持部材の挟持部と反対側の端部とに力を加えるのを止め、第１挟持部材および第２挟持部材を回動軸の周りに逆方向に回動させることにより、指収容部に指が収容された状態で第１挟持部材の挟持部と第２挟持部材の挟持部との間に指を挟持し、さらに甘皮ストッパーの先端を指の爪の甘皮に引っ掛けることにより、指を回動軸に平行な方向および垂直な方向に拘束することができるため観察中の指のぶれを抑制することができ、この状態で顕微鏡本体の対物レンズのピントを指の爪の甘皮の近傍の爪根部の表皮に合わせることにより、指先の毛細血管を鮮明に観察することができる。
【図面の簡単な説明】
【００１２】
【図１】第１の実施の形態による指先毛細血管血流観察顕微鏡を示す斜視図である。
【図２】第１の実施の形態による指先毛細血菅血流観察顕微鏡を示す平面図である。
【図３】第１の実施の形態による指先毛細血菅血流観察顕微鏡を示す正面図である。
【図４】第１の実施の形態による指先毛細血菅血流観察顕微鏡を示す右側面図である。
【図５】第１の実施の形態による指先毛細血菅血流観察顕微鏡を構成する第２挟持部材の挟持部の内面を示す略線図である。
【図６】第１の実施の形態による指先毛細血菅血流観察顕微鏡により指先の毛細血管の血流を観察する部位を示す略線図である。
【図７】第１の実施の形態による指先毛細血菅血流観察顕微鏡において観察時に指を挿入した状態を示す斜視図である。
【図８】第１の実施の形態による指先毛細血菅血流観察顕微鏡において観察時に指を挿入した状態を示す右側面図である。
【図９】第１の実施の形態による指先毛細血菅血流観察顕微鏡において観察時に指を挿入した状態において指収容部の奥から指先を見た略線図である。
【図１０】第１の実施の形態による指先毛細血菅血流観察顕微鏡を構成する第２挟持部材の挟持部の内面に設けられた甘皮ストッパーが指の先端の甘皮近傍に位置している様子を示す略線図である。
【図１１】第２の実施の形態による指先毛細血管血流観察顕微鏡を示す斜視図である。
【図１２】第２の実施の形態による指先毛細血菅血流観察顕微鏡を示す平面図である。
【図１３】第２の実施の形態による指先毛細血菅血流観察顕微鏡を示す正面図である。
【発明を実施するための形態】
【００１３】
以下、発明を実施するための形態（以下「実施の形態」とする）について説明する。
【００１４】
〈第１の実施の形態〉
［指先毛細血管血流観察顕微鏡］
図１〜図４は第１の実施の形態による指先毛細血管血流観察顕微鏡を示し、図１は斜視図、図２は平面図、図３は正面図、図４は右側面図である。
【００１５】
図１〜図４に示すように、この指先毛細血管血流観察顕微鏡は、回動軸１０の周りに回動可能かつ初期位置に復元可能に構成された洗濯ばさみ状の第１挟持部材２０および第２挟持部材３０からなる本体を有する。第１挟持部材２０および第２挟持部材３０は互いにほぼ同様な形状および大きさを有し、回動軸１０に平行な方向の幅はほぼ一定になっている。第１挟持部材２０および第２挟持部材３０は一端側にそれぞれ挟持部２１および挟持部３１を有し、これらの挟持部２１および挟持部３１は互いに対向している。第１挟持部材２０および第２挟持部材３０の材質は必要に応じて選ばれるが、典型的にはプラスチックが用いられる。第１挟持部材２０および第２挟持部材３０の回動部は従来公知の一般的な洗濯ばさみと同様に構成することができる。
【００１６】
挟持部２１および挟持部３１の互いに対向する内面にはそれぞれ、これらの挟持部２１および挟持部３１の間に回動軸１０に垂直な方向から被験者の、指先の毛細血管の血流観察を行おうとする手の指、取り分け利き手の反対側の手の薬指を挿入して挟持したときにこの指をこの指に垂直でかつ回動軸１０に平行な方向に拘束する指収容部４１、４２が設けられている。指収容部４１は、挟持部２１の内面に回動軸１０に垂直な方向に延在して設けられた、被験者の手の指の末節骨から中節骨に掛けての部分の下半分（爪と反対側の片側部分）を収容することができる断面形状および断面寸法ならびに長さを有する半円筒状の凹部からなる。また、指収容部４２は、挟持部３１の内面に回動軸１０に垂直な方向に延在して設けられた、被験者の手の指の末節骨から中節骨に掛けての部分の上半分（爪側の片側部分）を収容することができる断面形状および断面寸法ならびに長さを有する半円筒状の凹部からなる。指収容部４１、４２の奥の部分は指の先端部の形状に合わせた形状となっている。指収容部４１、４２の幅は、被験者の手の指の末節骨から中節骨に掛けての部分を収容することができ、かつ指に垂直で回動軸１０に平行な方向に指を拘束することができる範囲内で必要に応じて選ばれるが、一般的には例えば１５ｍｍ以上２５ｍｍ以下、例えば２０ｍｍである。指収容部４１、４２の深さは、例えば３ｍｍ以上１０ｍｍ以下、例えば５ｍｍである。指収容部４１の深さと指収容部４２の深さとは互いに同一でも異なってもよいが、図１〜図４では、指収容部４１の深さが指収容部４２の深さより少し大きい場合が示されている。指収容部４１、４２の長さは、例えば３０ｍｍ以上４５ｍｍ以下、例えば３５ｍｍである。指収容部４１、４２の表面の材質は必要に応じて選ばれるが、好適には指をソフトに受け止めることができるようなある程度の柔軟性を有する材料、例えばシリコーン樹脂などが用いられる。
【００１７】
第１挟持部材２０の挟持部２１と反対側の端部は操作部２２を構成し、第２挟持部材３０の挟持部３１と反対側の端部は操作部３２を構成する。第１挟持部材２０の操作部２２と第２挟持部材３０の操作部３２との間には、ばね鋼などの弾性の高い金属からなる湾曲した金属ワイヤーまたは細長い金属片からなる挟みばね５０が取り付けられている。第１挟持部材２０の操作部２２と第２挟持部材３０の操作部３２との間には、この挟みばね５０の弾性力によりこれらの操作部２２と操作部３２とが互いに離れる方向の力、従って第１挟持部材２０の挟持部２１と第２挟持部材３０の挟持部３１とが互いに接近する方向の力が働くようになっており、これによって第１挟持部材２０および第２挟持部材３０が回動軸１０の周りに回動可能かつ初期位置に復元可能に構成されている。
【００１８】
第２挟持部材３０の挟持部３１には、この挟持部３１を貫通し、先端部が第１挟持部材２０の挟持部２１に臨むように自動もしくは手動のピント合わせ機能を有する顕微鏡本体６０が取り付けられている。顕微鏡本体６０は、図示は省略するが、光軸上に設けられた対物レンズ、接眼レンズなどを含む結像光学系を備えた一般的な光学顕微鏡の鏡筒と同様なものであってもよいが、ここでは、ファイバースコープにより構成されているとする。ファイバースコープでは、ファイバー束の一端面に対物レンズが設けられ、ファイバー束の他端側に撮像素子が設けられる。撮像素子の出力端子はケーブルを介してコンピュータのディスプレイやスマートフォンのディスプレイに接続され、これらのディスプレイに画像を表示することができるようになっている。対物レンズは、顕微鏡本体６０の、第１挟持部材２０の挟持部２１に臨む先端部（底部）に設けられている。顕微鏡本体６０の先端部には、照明光学系として複数（例えば、８個）の発光ダイオードが光軸の周りの円周上に対物レンズを取り囲むように等間隔で取り付けられている。ただし、照明光学系は顕微鏡本体６０の周辺に設けてもよい。顕微鏡本体６０には焦点調整ダイヤル６１が設けられている。手動でピント合わせを行う場合には、この焦点調整ダイヤル６１を回すことによりピント合わせを行うことができるようになっている。
【００１９】
図３および図４に示すように、第２挟持部材３０の挟持部３１の内面、より詳細には指収容部４２の内面には、第１挟持部材２０の挟持部２１と第２挟持部材３０の挟持部３１との間に被験者の手の指を挟持したときに、この指の爪の甘皮に引っ掛かることにより第１挟持部材２０および第２挟持部材３０に対する指の長手方向前方への移動を阻止する甘皮ストッパー７０が設けられている。図５は挟持部３１の内面を示す。図５に示すように、この甘皮ストッパー７０は、指収容部４１、４２に被験者の手の指を収容し、第１挟持部材２０の挟持部２１と第２挟持部材３０の挟持部３１との間に指を挟持した状態で指の爪を指に直交する方向に横断するように回動軸１０に平行な方向に延在している。この甘皮ストッパー７０の、第１挟持部材２０の挟持部２１に臨む先端部は回動軸１０に平行になっている。また、この甘皮ストッパー７０の延在方向に垂直な方向の断面形状は台形状となっている。この台形状の断面形状を有する甘皮ストッパー７０の指挿入側の側面が指の爪の甘皮に引っ掛かるようになっている。この場合、甘皮ストッパー７０の指挿入側の側面が指の爪に対して鋭角となっているため、甘皮ストッパー６０の先端を指の爪の甘皮に引っ掛ける時に甘皮や爪などが傷つくのを防止することができる。この甘皮ストッパー７０の断面形状の台形の上底と指挿入側の側面との交点（交線）と顕微鏡本体６０の光軸との間の距離Ｄは、観察時に指の爪の甘皮に甘皮ストッパー７０の先端が引っ掛かった状態で顕微鏡本体６０の光軸が甘皮に隣接する爪根部の表皮に位置するように選択される。距離Ｄは、例えば、１．０ｍｍ以上２．０ｍｍ以下、あるいは１．２ｍｍ以上１．８ｍｍ以下、あるいは１．３ｍｍ以上１．６ｍｍ以下、例えば１．４ｍｍである。甘皮ストッパー６０の下底の長さは例えば１ｍｍ以上２ｍｍ以下、例えば１．５ｍｍ、上底の長さは例えば０．５ｍｍ以上１．５ｍｍ以下、例えば１ｍｍである。必要に応じて、甘皮ストッパー６０の先端部の角部を直線状または円弧などの曲線状に面取りしてもよい。こうすることで、甘皮ストッパー６０の先端を指の爪の甘皮に引っ掛ける時に甘皮や爪などが傷つくのをより確実に防止することができる。図５には、顕微鏡本体６０の先端部が示されており、照明光学系として光軸の周りの円周上に対物レンズ６２を取り囲むように等間隔で取り付けられている複数（例えば、８個）の発光ダイオードの照明領域６３が示されている。
【００２０】
［指先毛細血管血流観察顕微鏡の使用方法］
この指先毛細血管血流観察顕微鏡を用いて被験者の手の指先の毛細血管の血流を観察する方法について説明する。
【００２１】
図６は指先の毛細血管の血流を観察する場所を示す。図６に示すように、指の爪の甘皮に隣接する爪根部の表皮が観察場所となる。
【００２２】
まず、この指先毛細血管血流観察顕微鏡の第１挟持部材２０の操作部２２と第２挟持部材３０の操作部３２とを手の指でつまんで力を加えることにより第１挟持部材２０の挟持部２１と第２挟持部材３０の挟持部３１とを互いに離す。
【００２３】
この状態で第１挟持部材２０の挟持部２１と第２挟持部材３０の挟持部３１との間の隙間から、被験者の手の、指先の毛細血管の血流を観察しようとする指、典型的には利き手の反対側の手の薬指を挿入し、指収容部４１、４２に収容する。好適には、その指の爪の甘皮の直ぐ後方の部分には予め少量のオイルを塗っておく。オイルを塗るのは、爪根部の表皮での照明光の反射を抑え、毛細血管の血流を観察しやすくするためである。この後、第１挟持部材２０の操作部２２と第２挟持部材３０の操作部３２とに力を加えるのを止める。こうすることで、挟みばね５０が初期の状態に復元しようとすることにより第１挟持部材２０の挟持部２１と第２挟持部材３０の挟持部３１との間に指が挟持される。このとき、指収容部４１、４２に収容された指は回動軸１０に平行な方向および垂直な方向に拘束される。この状態で指を少し前に移動させ、甘皮ストッパー７０の指の挿入側の側面が甘皮に引っ掛かるようにする。この状態を図７〜図１０に示す。ここで、図７は斜視図、図８は右側面図、図９は指収容部４１、４２に指を挿入した状態において指収容部４１、４２の奥から指先を見た略線図である。図１０は甘皮ストッパー７０が指の先端の甘皮近傍に位置している様子を示す。
【００２４】
その後、自動もしくは手動で顕微鏡本体６０のピント合わせを行い、顕微鏡本体６０の対物レンズの焦点を爪の甘皮の近傍の爪根部の表皮に合わせる。手動でピント合わせを行う場合には、顕微鏡本体６０の焦点調整ダイヤル６１を回すことにより、顕微鏡本体６０の対物レンズの焦点を爪の甘皮の近傍の爪根部の表皮に合わせる。こうして焦点合わせを行った後、顕微鏡本体６０により爪根部の表皮を介して指先の毛細血管の血流を観察する。こうして観察される画像は撮像素子により撮像され、その画像がケーブルを介してコンピュータのディスプレイやスマートフォンのディスプレイに送られ、これらのディスプレイに表示される。こうして、ディスプレイ上で指先の毛細血管の血流を観察することができる。
【００２５】
以上のように、この第１の実施の形態によれば、被験者が指先の毛細血管の血流を観察しようとする手の指を第１挟持部材２０の挟持部２１と第２挟持部材３０の挟持部３１との間の隙間から指収容部４１、４２に挿入し、甘皮ストッパー７０の先端の指の挿入側の側面を指の爪の甘皮に引っ掛け、指を回動軸１０に平行な方向および垂直な方向に拘束した状態で顕微鏡本体６０のピントを指の爪の甘皮に隣接する爪根部の表皮に合わせるだけで毛細血管の血流を簡単にしかも鮮明に観察することができる。
【００２６】
〈第２の実施の形態〉
［指先毛細血管血流観察顕微鏡］
図１１〜図１３は第２の実施の形態による指先毛細血管血流観察顕微鏡を示し、図１１は斜視図、図１２は平面図、図１３は正面図である。
【００２７】
図１１〜図１３に示すように、この指先毛細血管血流観察顕微鏡は、第１挟持部材２０および第２挟持部材３０に、挟持部２１と挟持部３１との間に挟持された指および甘皮ストッパー７０の状態を外部から観察するための観察用窓３３が設けられていることが第１の実施の形態による指先毛細血管血流観察顕微鏡と異なり、その他の構成は第１の実施の形態による指先毛細血管血流観察顕微鏡と同様である。
【００２８】
［指先毛細血管血流観察顕微鏡の使用方法］
この指先毛細血管血流観察顕微鏡の使用方法は第１の実施の形態による指先毛細血管血流観察顕微鏡と同様である。
【００２９】
この第２の実施の形態によれば、第１の実施の形態と同様な利点に加えて、挟持部２１と挟持部３１との間に指を挟持した状態で観察用窓３３から指および甘皮ストッパー７０の状態を観察することにより、甘皮ストッパー７０の先端が指の爪の甘皮に引っ掛かっていることを確認した上で指の毛細血管の血流を観察することができるという利点を得ることができる。
【００３０】
以上、この発明の実施の形態について具体的に説明したが、この発明は上述の実施の形態に限定されるものではなく、この発明の技術的思想に基づく各種の変形が可能である。
【００３１】
例えば、上述の実施の形態において挙げた数値、構成、形状、材料、方法などはあくまでも例に過ぎず、必要に応じてこれらと異なる数値、構成、形状、材料、方法などを用いてもよい。
【００３２】
例えば、上述の第１の実施の形態においては、第１挟持部材２０の操作部２２と第２挟持部材３０の操作部３２との間に挟みばね５０を取り付けることにより第１挟持部材２０および第２挟持部材３０を初期位置に復元可能に構成しているが、挟みばね５０を取り付けず、代わりに第１挟持部材２０および第２挟持部材３０の回動部にねじりコイルばねを取り付けることにより第１挟持部材２０および第２挟持部材３０を初期位置に復元可能に構成してもよい。
【符号の説明】
【００３３】
１０…回動軸、２０…第１挟持部材、２１…挟持部、２２…操作部、３０…第２挟持部材、３１…挟持部、３２…操作部、３３…観察用窓、４１、４２…指収容部、５０…挟みばね、６０…顕微鏡本体、６１…焦点調整ダイヤル、６２…対物レンズ、７０…甘皮ストッパー
【要約】
【課題】被験者の手の指先の毛細血管の血流を観察しようとする部位に顕微鏡を簡単に位置合わせでき、観察時の指のぶれを抑制でき、顕微鏡のピントを合わせるだけで容易に指先の毛細血管の血流を観察できる指先毛細血管血流観察顕微鏡を提供する。
【解決手段】指先毛細血管血流観察顕微鏡は、回動軸１０の周りに回動可能な第１挟持部材２０および第２挟持部材３０と、第１挟持部材２０の挟持部２１および第２挟持部材３０の挟持部３１の互いに対向する内面に設けられた指収容部４１、４２と、先端部が第１挟持部材２０の挟持部２１に臨むように第２挟持部材３０に取り付けられたピント合わせ機能を有する顕微鏡本体６０と、第２挟持部材３０の挟持部３１の内面に設けられた甘皮ストッパー７０とを有し、甘皮ストッパー７０の先端が指の爪の甘皮に引っ掛った状態において顕微鏡本体６０の光軸が指の爪の甘皮に隣接する爪根部に合うように構成される。
【選択図】図１【図１】
0006675629.tif 000002
【図２】
0006675629.tif 000003
【図３】
0006675629.tif 000004
【図４】
0006675629.tif 000005
【図５】
0006675629.tif 000006
【図６】
0006675629.tif 000007
【図７】
0006675629.tif 000008
【図８】
0006675629.tif 000009
【図９】
0006675629.tif 000010
【図１０】
0006675629.tif 000011
【図１１】
0006675629.tif 000012
【図１２】
0006675629.tif 000013
【図１３】
0006675629.tif 000014